(57)【特許請求の範囲】
【請求項１】
円柱と，該円柱から３方向に向けて配置したフェンスと，該フェンスの胴縁にそれぞれ配設して該胴縁から円柱方向に突出した湾曲バンドを円柱に締着固定して上記３方向のフェンスを円柱に連結する連結金具とを備えたフェンスの連結装置であって，上記各連結金具の湾曲バンドを，その湾曲方向中間位置において円弧半径を異径化し，先端側に径小の径小湾曲部を，後端側に径大の径大湾曲部を配置した異径湾曲状とするとともに各径小湾曲部を円柱の外周面に摺接自在とし且つ径大湾曲部と円柱の外周面間の上記異径化による空隙に径小湾曲部を挿入可能として該径小湾曲部と径大湾曲部を各連結金具間において相互に挿入重合自在としてなることを特徴とする３方向フェンスの円柱連結装置。
【請求項２】
請求項１の湾曲バンドにおける円弧半径の異径化を，湾曲バンドの肉厚相当分について行ってなることを特徴とする３方向フェンスの円柱連結装置。
【請求項３】
請求項１又は２の湾曲バンドの径小湾曲部と径大湾曲部の合計長さを円柱外周面の略１／２とした半円状とし，円弧半径の異径化をその略中央位置において行ってなることを特徴とする３方向フェンスの円柱連結装置。
【請求項４】
請求項１，２又は３の湾曲バンドの円柱への締着固定を，湾曲バンドの長溝を介したボルトナットによって行うとともに該長溝を径小湾曲部先端において開口し湾曲バンドの略全長に亘る開口長溝としてなることを特徴とする３方向フェンスの円柱連結装置。
【請求項５】
請求項３又は４の湾曲バンドを有する連結金具を，３方向のフェンスのそれぞれについて同一に共通化してなることを特徴とする３方向フェンスの円柱連結装置。
【発明の詳細な説明】
【０００１】
【産業上の利用分野】
本発明は，円柱に対して３方向のフェンスを連結するに用いる３方向フェンスの円柱連結装置に関する。
【０００２】
【従来の技術】
この種円柱へのフェンスの連結は，円柱に対して直列又は所定角度の折曲面をなすように，フェンスを円柱から２方向に向けて連結したものとされ，その連結装置は，例えば円柱と，該円柱から２方向に向けて配置したフェンスと，該フェンスの胴縁にそれぞれ配設して該胴縁から円柱方向に突設した湾曲バンドを透孔を介したボルトナットによって円柱に締着固定してこれら２方向のフェンスを円柱に連結するものとし，湾曲バンドは，円柱円弧の１／３乃至１／２の長さと，円柱外径と同一径とを有する，円柱の外周面に摺接自在としたものとされている。
【０００３】
【発明が解決しようとする課題】
この場合，上記のとおり円柱に対して直列又は所定角度の折曲面をなして，所定敷地の外周を囲繞するようにフェンスを連結することが可能であるが，これを用いて，例えば敷地内を更に区分する区分用のフェンスを追加して，平面Ｔ字状又はＹ字状に３方向のフェンスを連結することは，各フェンスの胴縁位置が同高位置となるために，一般に円柱外周面に第３のフェンスの連結金具における湾曲バンドを配置するスペースを得ることができないことによって著しく困難である。
【０００４】
一方，フェンス高さを変えたり，第３の連結金具における湾曲バンド位置を偏位すれば３方向のフェンスの連結それ自体は可能となるも，湾曲バンドが上下２段に位置し，締着固定の金具も上下複数に現われたりして円柱廻りの外観を損うことになり，実用性を欠く。
【０００５】
本発明はかかる事情に鑑みてなされたもので，その解決課題とする処は，平面Ｔ字状又はＹ字状に３方向のフェンスを，単一の円柱の同高位置において外観よく，簡易確実に連結することができる３方向フェンスの円柱連結装置を提供するにある。
【０００６】
【課題を解決するための手段】
本発明は請求項１を，円柱と，該円柱から３方向に向けて配置したフェンスと，該フェンスの胴縁にそれぞれ配設して該胴縁から円柱方向に突出した湾曲バンドを円柱に締着固定して上記３方向のフェンスを円柱に連結する連結金具とを備えたフェンスの連結装置であって，上記各連結金具の湾曲バンドを，その湾曲方向中間位置において円弧半径を異径化し，先端側に径小の径小湾曲部を，後端側に径大の径大湾曲部を配置した異径湾曲状とするとともに各径小湾曲部を円柱の外周面に摺接自在とし且つ径大湾曲部と円柱の外周面間の上記異径化による空隙に径小湾曲部を挿入可能として該径小湾曲部と径大湾曲部を各連結金具間において相互に挿入重合自在としてなることを特徴とする３方向フェンスの円柱連結装置とし，請求項２を，請求項１の湾曲バンドにおける円弧半径の異径化を，湾曲バンドの肉厚相当分について行ってなることを特徴とする３方向フェンスの円柱連結装置とし，請求項３を，請求項１又は２の湾曲バンドの径小湾曲部と径大湾曲部の合計長さを円柱外周面の略１／２とした半円状とし，円弧半径の異径化をその略中央位置において行ってなることを特徴とする３方向フェンスの円柱連結装置とし，請求項４を，請求項１，２又は３の湾曲バンドの円柱への締着固定を，湾曲バンドの長溝を介したボルトナットによって行い且つ該長溝を径小湾曲部先端において開口し湾曲バンドの略全長に亘る開口長溝としてなることを特徴とする３方向フェンスの円柱連結装置とし，請求項５を，請求項３又は４の湾曲バンドを有する連結金具を，３方向のフェンスのそれぞれについて同一に共通化してなることを特徴とする３方向フェンスの円柱連結装置とし且つこれらをそれぞれ発明の要旨として上記課題解決の手段としたものである。
【０００７】
【実施例】
以下実施例を示す図面に従って本発明を更に具体的に説明すれば，１は円柱，３は該円柱１から３方向に向けて配置したフェンス，５は該３方向のフェンス３を円柱１に連結する連結金具をそれぞれ示す。
【０００８】
円柱１は，金属製丸パイプによるものとし，フェンス３の連結位置に，本例において上下方向の長孔とした貫通の透孔２を穿設したものを用い，またフェンス３は，本例においてそれぞれ上下に円筒状の胴縁４を備え，金属太線材を縦横格子状に配置溶着したグリッドフェンスを用いてある。
【０００９】
連結金具５によるフェンス３の円柱１への連結は，該連結金具５を３方向のフェンス３における胴縁４にそれぞれ配設して該胴縁４から円柱１方向に突出した湾曲バンド１０を円柱１に締着固定して行うものとしてある。
【００１０】
このとき湾曲バンド１０は，その湾曲方向中間位置において円弧半径を異径化し，先端側に径小の径小湾曲部１３を，後端側に径大の径大湾曲部１４を配置した異径湾曲状とするとともに各径小湾曲部１３を円柱１の外周面に摺接自在とし且つ径大湾曲部１４と円柱１の外周面間の上記異径化による空隙に径小湾曲部１３を挿入可能として該径小湾曲部１３と径大湾曲部１４を各連結金具５間において相互に挿入重合自在としてなるものとしてあり，本例において該湾曲バンド１０は，その円弧半径の異径化を，湾曲バンド１０の肉厚相当分について行ってなるものとし，径小湾曲部１３と径大湾曲部１４の合計長さを円柱１外周面の略１／２とした半円状とし，円弧半径の異径化をその略中央位置において行ってなるものとし，また上記湾曲バンド１０の円柱１への締着固定を，湾曲バンド１０の長溝を介したボルトナット１６，１７によって行うとともに該長溝を径小湾曲部１３先端において開口し湾曲バンド１０の略全長に亘る開口長溝１１としてなるものとし，更に本例にあってはこの湾曲バンド１０を有する連結金具５を，３方向のフェンス３のそれぞれについて同一に共通化してなるものとしてある。
【００１１】
即ち本例の連結金具５は，フェンス３の胴縁４にその端部から差込み挿入する正面コ字状とした挿入部６と，該挿入部６の端壁８の一端からブリッジ９を介して上記円柱１方向に突出した湾曲バンド１０とを備えて金属板を折曲加工したものとしてあり，湾曲バンド１０は，上記ブリッジ９から，円柱１の外径をなす外周面の略１／２の半円状を呈してその上下中間位置に先端からブリッジ９近傍に至る略全長に亘る開口長溝１１を備えたものとし，またその湾曲方向の略中央位置に段部１２を配し，湾曲方向中間位置の該段部１２において円弧半径を，径小の２５．８ｍｍと径大の２８．３ｍｍにして，連結金具５，即ち湾曲バンド１０の２．５ｍｍの肉厚相当分について異径化したものとし，先端側に上記２５．８ｍｍの径小の径小湾曲部１３を，後端側に上記２８．３ｍｍの径大の径大湾曲部１４を配置することにより上記異径湾曲状としたものとしてあり，上記開口長溝１１は，これを径小湾曲部１３の先端において開口するものとしてある。このとき径小湾曲部１３の円弧半径を，上記円柱１の外径（半径）に一致するものとしてあることにより，該径小湾曲部１３はそれぞれ円柱１の外周面に面接自在とするとともに外周面に添って摺接自在となるようにする一方，共通化した各連結金具５における湾曲バンド１０の径大湾曲部１４と円柱１の外周面間のこの異径化による２．５ｍｍ幅にして開放後端から段部に一連に至る空隙１５にそれぞれ他の連結金具５の径小湾曲部１３を挿入可能として，該径小湾曲部１３と径大湾曲部１４を相互に挿入重合自在となるようにしてある。
【００１２】
この連結金具５による円柱１への３方向のフェンス３の連結は，円柱１の外周面に各連結金具５における湾曲バンド１０の径小湾曲部１３を面接し，また必要に応じてこれを摺接することにより，径小湾曲部１３の円柱１外周面への面接と，径小湾曲部１３の径大湾曲部１４への挿入重合の状態で，湾曲バンド１０の開口長溝１１と円柱１の透孔２に通した貫通ボルト１６にナット１７を締着することにより，必要に応じて円柱１の透孔の長孔範囲内で位置調整を施すようにして行ったものとしてある。
【００１３】
このとき本例にあっては，図１に示される如くに，３方向のフェンス３を平面Ｔ字状とする場合，３個の連結金具５の湾曲バンド１０は，その２ケ所において径小湾曲部１３が径大湾曲部１４に完全に挿入重合し，残余の各１ケ所の径小湾曲部１３と径大湾曲部１４はそれぞれ単独に位置する関係となるに至り，また一方図３に示す如くに，３方向のフェンス３を１２０°の平面Ｙ字状とする場合，各径小湾曲部１３が径大湾曲部１４に部分的に挿入重合する関係となるに至るので，平面Ｔ字状とＹ字状との間で，湾曲バンド１０の略全長に亘る開口長溝１１の範囲で，必要に応じて３方向のフェンス３の角度を自在に設定することが可能であり，また本例にあっては湾曲バンド１０の径小湾曲部１０先端において開口した開口長溝１１を用いたことにより，上下の位置合せのみで貫通ボルト１６を該開口長溝１１に受入れ自在となるから，円柱１に貫通ボルト１６を通し，必要に応じてナット１７を仮締着した状態で，各連結金具５を，その開口長溝１１に貫通ボルト１６を受入れるように円柱１に添った回動作業によって仮付けし，位置出し後にナット１７の締着を行う作業手順によることができ，従って連結金具５を設置した後に貫通ボルト１６を透孔，長孔，長溝等に後通しする煩雑さを解消し，貫通ボルト１６を先通しした上，各連結金具５を設置する先付けの貫通ボルト１６を基準とした３方向のフェンス３の極めて容易な連結作業を行うことができる。
【００１４】
図中７は連結金具５の挿入部６に設けたフェンス３における縦方向の金属線材除け用の開口溝，１８は，フェンス３の胴縁４において挿入部６を該胴縁４に固定する，本例において連結金具５と別構成した固定部材，１９はその締着用ボルトナットである。
【００１５】
図示した例は以上のとおりとしたが，本発明の実施に当っては，例えば径小湾曲部に補強リブを設けて，該径小湾曲部を挿入重合自在とするように，必要に応じて湾曲バンドの円弧半径の異径化を径大湾曲部において湾曲バンドの肉厚相当分以上として行うようにすること，湾曲バンドの径小湾曲部と径大湾曲部の合計長さを，円柱外周面の略１／２以下のものとすること，円弧半径の異径化位置を湾曲方向中間位置として径小湾曲部又は径大湾曲部側に偏位するように設定すること，３方向のフェンスについて湾曲バンドの長さ，異径化位置を変える等したフェンス毎の連結金具を用いるようにすること，連結金具の湾曲バンドの締着固定のために上記開口長溝に代えて，３方向のフェンスを所定の固定角度とするときに丸孔による透孔を用い，一方，該固定角度とするときに位置出しを行い得るように又は角度を可変とするときに調整の範囲を定めるために長孔を用いること，同じく締着固定のために円柱の透孔を丸孔とすること，これらの場合を含めて上記作業手順によらず，円柱に各連結金具を突当て状にし，径小湾曲部の円柱外周面の面接を行った後，貫通ボルトを通してナットで締着する作業手順によるものとすること，連結金具とフェンスの胴縁との関係を，上記挿入部に代えて，挿入プレート，添設プレート，被嵌部等を用いてフェンスに配設し，単独又は固定部材や固定金具を用いてこれを固定するようにすること等が可能であり，これらを含めて円柱，フェンス，その胴縁，連結金具，その湾曲バンド，その径小湾曲部，径大湾曲部の各具体的形状，材質，構造，寸法，数，これらの関係，これらに対する付加等は，上記発明の要旨に反しない限り様々に変更することができ，以上に説明したものに限らない。
【００１６】
【発明の効果】
以上のとおり本発明請求項１は，円柱と，該円柱から３方向に向けて配置したフェンスと，該フェンスの胴縁にそれぞれ配設して該胴縁から円柱方向に突出した湾曲バンドを円柱に締着固定して上記３方向のフェンスを円柱に連結する連結金具とを備えたフェンスの連結装置であって，上記各連結金具の湾曲バンドを，その湾曲方向中間位置において円弧半径を異径化し，先端側に径小の径小湾曲部を，後端側に径大の径大湾曲部を配置した異径湾曲状とするとともに各径小湾曲部を円柱の外周面に摺接自在とし且つ径大湾曲部と円柱の外周面間の上記異径化による空隙に径小湾曲部を挿入可能として該径小湾曲部と径大湾曲部を各連結金具間において相互に挿入重合自在としてなることを特徴とするから，平面Ｔ字状又はＹ字状に３方向のフェンスを，単一の円柱の同高位置において各連結金具の湾曲べース相互を重合した位置とその締着を可能として外観よく連結するとともに構造が簡易にしてその連結を確実に行うことができ，更に必要に応じて３方向のフェンスの角度を可変とした３方向フェンスの円柱連結装置を提供することができる。
【００１７】
請求項２は，請求項１の湾曲バンドにおける円弧半径の異径化を，湾曲バンドの肉厚相当分について行ってなることを特徴とするから，上記に加えて湾曲バンドの径小湾曲部の径大湾曲部への挿入重合を密接に行い，締着固定の確実性を向上し，円柱との一体化を高めて外観をより向上したものとすることができる。
【００１８】
請求項３は，請求項１又は２の湾曲バンドの径小湾曲部と径大湾曲部の合計長さを円柱外周面の略１／２とした半円状とし，円弧半径の異径化をその略中央位置において行ってなることを特徴とするから，同じく上記に加えて円柱と湾曲バンドの締着固定を安定化し，長期に亘り確実に３方向のフェンスの連結を確保することができる。
【００１９】
請求項４は，請求項１，２又は３の湾曲バンドの円柱への締着固定を，湾曲バンドの長溝を介したボルトナットによって行うとともに該長孔を径小湾曲部先端において開口した湾曲バンドの略全長に亘る開口長溝としてなることを特徴とするから，同じく上記に加えて連結金具を設置した後に貫通ボルトを透孔，長孔，長溝等に後通しする煩雑さを解消し，貫通ボルトを先通しした上，各連結金具を設置する先付けの貫通ボルトを基準とした３方向フェンスの極めて容易な連結作業を行うものとすることができる。
【００２０】
請求項５は，請求項３又は４の湾曲バンドを有する連結金具を，３方向のフェンスのそれぞれについて同一に共通化してなることを特徴とするから，同じく上記に加えて単一種の連結金具を共通部品として用いて，作業性を向上し且つコストを低減したものとすることができる。
【図面の簡単な説明】
【図１】円柱とフェンスとの連結状態を示す平面図
【図２】円柱とフェンスとの連結状態を示す一方のフェンスにおける縦断面図
【図３】円柱とフェンスとの他の連結状態を示す平面図
【図４】円柱と連結金具との関係を示す分解斜視図
【図５】連結金具の斜視図
【図６】連結金具の平面図
【図７】連結金具の正面図
【符号の説明】
１  円柱
３  フェンス
４  胴縁
５  連結金具
１０  湾曲バンド
１１  開口長溝
１３  径小湾曲部
１４  径大湾曲部
１５  空隙
１６  ボルト
１７  ナット
【図１】
0003554072.tif 000002
【図２】
0003554072.tif 000003
【図３】
0003554072.tif 000004
【図４】
0003554072.tif 000005
【図５】
0003554072.tif 000006
【図６】
0003554072.tif 000007
【図７】
0003554072.tif 000008